(57)【要約】      （修正有）【課題】パッチワークキルトを製作するために、時間を管理し計画的に製作するための手帳を提供する。【解決手段】リング綴りのノート型の手帳であり、パッチワークキルトを製作する方々が計画的に作製できるように、年間カレンダー頁、月毎のカレンダー頁、製作計画頁、当年の目標を記載する頁、１日の予定が書込み可能な時間軸を付けた頁、アイディアを書留める頁、参考図書・製作に必要な材料を購入できる店舗等を書き留める頁、パッチワーク用語・情報、年号や長さの換算表の頁、およびフィルムポケットから構成される。【選択図】図１
0003210541.tif 000002
【実用新案登録請求の範囲】
【請求項１】
リング綴りのノート型の手帳であり、パッチワークキルトを製作する方々が計画的に作製できるように、年間カレンダー頁、月毎のカレンダー頁、製作計画頁、当年の目標を記載する頁、１日の予定が書込み可能な時間軸を付けた頁、アイディアを書留める頁、参考図書・製作に必要な材料を購入できる店舗等を書き留める頁、パッチワーク用語・情報、年号や長さの換算表の頁、フィルムポケットなどから構成される手帳。
【考案の詳細な説明】
【技術分野】
【０００１】  本考案は、パッチワークキルトをする方々が時間を管理し計画的に製作するための手帳に関する。
【背景技術】
【０００２】  従来、パッチワークキルト製作者は製作アイディア・材料等の予定を記入する製作ノートと時間管理の手帳等、複数の手帳を持つことが多い。
【考案の概要】
【考案が解決しようとする課題】
【０００３】  パッチワークキルト製作者は自分の時間を管理する手帳、製作のためのノート、必要な材料をメモ出来るノートなど複数の手帳を持つことが多く、やり残し、やり忘れに悩む方々が多い。【０００４】  パッチワークキルトを製作するためには多数の布切れを手縫い、またはミシンで繋ぎ合わせステッチをかける等膨大な時間がかかるため、時間を管理し年間の予定を立て、製作にかける時間を月単位、日々単位、時間単位での配分が必要になってくる。【０００５】  月毎に予定を記入し、製作に必要な材料を記入し貼り付けられる製作計画を記入することによってやり残し・やり忘れをなくすことができる。
【課題を解決するための手段】
【０００６】  複数の手帳に記入することより、時間管理、製作計画、やるべきことの確認、材料の購入、参考図書、材料が購入可能な店舗の確認などは、１冊に統合した手帳を使用することで情報が一箇所にまとめることができる。
【考案の効果】
【０００７】  パッチワークキルトを製作にあたって、製作者に必要な時間の管理をし、計画的な製作を進めることができる。【０００８】  年間予定管理、月毎の予定管理、月毎の製作計画を記入し、日々の時間の予定管理をすることで製作に充てる時間の管理を確保・管理できる。【０００９】  月毎の製作計画の頁で、製作する物毎に必要な材料を記入し、使用する布や糸、紐などの材料を貼り付ける部分を活用し、材料の確認が容易になる。【００１０】  日々の時間管理をする頁に仕事・家事の時間、製作に使える時間を記入することで時間を有効に使え、時間の使い方を考え、目視で確認できる。【００１１】  アイディアを書き留める頁を利用し、浮かぶアイディアをまとめ製作に結び付けることが可能になる。【００１２】  参考になる図書を書き留める頁に記入することで、必要な時に情報を確認することができる。【００１３】  必要な材料を購入できる店舗を書きとめ、必要な時に情報を確認、購入が可能になる。【００１４】  コンテストなどに出品するパッチワークキルト製作者は海外のキルトコンテストに応募する場合もあり、作品の整理・管理にも必要な和暦と西暦の換算早見表で作品の製作年月日をどちらの年号でも確認することができる。
【図面の簡単な説明】
【００１５】
【図１】キルト手帳を示した立体図である。
【図２】当年・翌年の２年間カレンダー頁
【図３】年間予定表頁
【図４】月カレンダー頁
【図５】月毎の製作計画頁
【図６】当年のやるべきことＴｏ  Ｄｏ  Ｌｉｓｔ頁
【図７】時間軸のある日々予定記入頁
【図８】アイディア頁
【図９】参考図書  Ｂｏｏｋ  ｌｉｓｔ頁
【図１０】ショップリスト頁
【図１１】キルト用語集−英語−
【図１２】年号早見表
【図１３】インチ、センチメートル換算表
【考案を実施するための形態】
【００１６】  デザインのアイディアを描く頁も含むため描きやすい大きさを考慮しＡ５サイズ程度のリングノート型の手帳に、日常の予定、製作の予定、デザインのアイディア等を記入し易く、確認も容易にする。
【実施例】
【００１７】  まずは各図の内容を詳細に説明する。
図１は本考案のキルト手帳のＡ５サイズのリングノート型の手帳の形態を示した斜視図である。【００１８】  図２は当年・翌年の２年間カレンダー頁であり、２年間のカレンダーが一目で確認出来る。【００１９】  図３は年間予定表が見開き２ページから構成され、一年間の予定を記入、容易に確認できる。【００２０】  図４は月カレンダー頁であり見開き２ページから構成され一か月の予定を記入、容易に確認できる。【００２１】  図５は月毎の製作計画頁であり製作予定の物、作業内容、必要な材料、材料貼り付け欄から構成され、計画的に製作することを手助けする頁となっている。【００２２】  図６は当年のやるべきことを５０項目記入する欄があり、目標を記入することで設定し、やり残し・やり忘れを確認することができる。【００２３】  図７は時間軸のある日々予定記入頁であり、仕事・家事・製作の時間を管理することで日々の製作を進めることができる。【００２４】  図８は５ｍｍ方眼のアイディア頁であり浮かんだアイディアが製作者にとっては何より大切なものであり、描きとめることで考えをまとめる役目をする頁となっている。【００２５】  図９は参考になる図書を書きとめるブックリストの頁であり、必要な時に情報を確認することに役に立つページである。【００２６】  図１０は使用する材料を購入できる店舗を記入できるショップリスト頁であり、必要な時に調達するために役立つページである。【００２７】  図１１はキルト用語集−英語−の頁であり、パッチワークキルトについての海外のキルト情報も多く、ミニ用語集を確認することで外国の雑誌を読むときの理解を深めることに活用できる。【００２８】  図１２は西暦と和暦の年号早見表であり、製作年月日の確認に役立つページである。【００２８】  図１３はインチ、センチメートル換算表であり、パッチワークキルトの参考図書として洋書を活用する製作者も多いことからインチとセンチメートルの換算表は製作時の役に立つものである。
【産業上の利用可能性】
【００２９】  本考案は、日本で最大のパッチワークキルト展に１日約４万人、開催期間中に２０万人以上方が訪れることからパッチワークキルト愛好家、製作者が多く、多くの製作者が計画的に作品製作を進められ、時間の管理・材料の管理を容易にするため手助けになる手帳になることを想定するものである。
【符号の説明】
【００３０】  １    リング金具
２    表紙
３    当年・翌年の２年間カレンダー頁
４    年間予定表頁
５    月カレンダー頁
６    月毎の製作計画頁
７    当年のやるべきこと  Ｔｏ  Ｄｏ  Ｌｉｓｔ頁
８    時間軸のある日々予定記入頁
９    アイディア頁
１０  参考図書  Ｂｏｏｋ  ｌｉｓｔ頁
１１  ショップリスト頁
１２  キルト用語―英語―
１３  年号早見表
１４  インチ・センチメートル換算表
１５  フィルムポケット
【図１】
0003210541.tif 000003
【図２】
0003210541.tif 000004
【図３】
0003210541.tif 000005
【図４】
0003210541.tif 000006
【図５】
0003210541.tif 000007
【図６】
0003210541.tif 000008
【図７】
0003210541.tif 000009
【図８】
0003210541.tif 000010
【図９】
0003210541.tif 000011
【図１０】
0003210541.tif 000012
【図１１】
0003210541.tif 000013
【図１２】
0003210541.tif 000014
【図１３】
0003210541.tif 000015
【手続補正書】
【提出日】平成29年3月1日(2017.3.1)
【手続補正１】
【補正対象書類名】実用新案登録請求の範囲
【補正対象項目名】全文
【補正方法】変更
【補正の内容】
【実用新案登録請求の範囲】
【請求項１】
リング綴りのノート型の手帳であり、パッチワークキルトを製作する方々が計画的に作製できるように、年間カレンダー頁、月毎のカレンダー頁、製作計画頁、当年の目標を記載する頁、１日の予定が書込み可能な時間軸を付けた頁、アイディアを書留める頁、参考図書・製作に必要な材料を購入できる店舗等を書き留める頁、パッチワーク用語・情報、年号や長さの換算表の頁およびフィルムポケットから構成される手帳。